(57)【要約】【課題】清掃装置の構成を簡易にする。【解決手段】第１清掃ブラシ６０と第２清掃ブラシ６２との間を通過する中間転写ベルト４６は、その外周面に付着した紙粉や残留トナー、外添剤等の付着物が、第１清掃ブラシ６０によって、掻き取られて清掃される。また、第２清掃ブラシ６２によって、中間転写ベルト４６の内周面に付着した紙粉や残留トナー、外添剤等の付着物が掻き取られて清掃される。第２清掃ブラシ６２は、第１清掃ブラシ６０に対向する部材を兼ね、第１清掃ブラシ６０から中間転写ベルト４６の内周側へ付与される圧力に対抗する。第２清掃ブラシ６２が第１清掃ブラシ６０に対向する部材を兼ねるので、部品点数を減らせ構成が簡易となる。【選択図】図２
2008139419.tif 000002
【特許請求の範囲】
【請求項１】
循環移動する無端帯状の像保持体と、
該像保持体の外周面を清掃する第１清掃部材と、
前記像保持体を挟んで前記第１清掃部材に対向して配置され、前記像保持体の内周面に接触して清掃する第２清掃部材と、
を備えたことを特徴とする像保持体清掃装置。
【請求項２】
前記第１清掃部材は、円筒状に形成された回転ブラシであることを特徴とする、請求項１記載の像保持体清掃装置。
【請求項３】
前記第２清掃部材は、前記像保持体の内周面に接触する部位が変更できるように構成されてなることを特徴とする、請求項１または２に記載の像保持体清掃装置。
【請求項４】
前記第２清掃部材は、前記第１清掃部材に比べて清掃時の変形量が小さいことを特徴とする、請求項１乃至３いずれか１項記載の像保持体清掃装置。
【請求項５】
前記像保持体の外周面を清掃する第３清掃部材と、
前記像保持体を挟んで前記第３清掃部材に対向して配置された円筒状の対向部材と、
を備え、
前記第２清掃部材は、前記対向部材の外周面を清掃することを特徴とする請求項１乃至４のいずれか１項に記載の像保持体清掃装置。
【請求項６】
前記第１清掃部材と前記第３清掃部材が前記像保持体に対して一体的に取り外し出来るように構成されてなることを特徴とする、請求項５記載の像保持体清掃装置。
【請求項７】
前記像保持体が巻き掛けられて回転し、前記像保持体を駆動する駆動部材を備え、
前記第２清掃部材は、前記駆動部材の外周面に接触して清掃することを特徴とする、請求項1乃至６のいずれか１項に記載の像保持体清掃装置。
【請求項８】
前記像保持体を含む像保持体部分と、
前記第１清掃部材を含む、前記像保持体部分に対して取り外し可能な清掃部材部分を有し、
前記第２清掃部材は、該清掃部材部分を取り外した際に前記像保持体部分に残留することを特徴とする画像形成装置。
【請求項９】
前記像保持体に画像を形成する画像形成手段と、
前記像保持体上の画像を記録媒体に転写する転写手段と、
請求項１乃至８のいずれか１項に記載の像保持体清掃装置と、を有し、
前記画像保持体清掃手段は、前記像保持体上で前記転写手段より下流、かつ画像形成手段より上流に配置されたことを特徴とする画像形成装置。
【発明の詳細な説明】
【技術分野】
【０００１】
本発明は、像保持体清掃装置及び画像形成装置に関する。
【背景技術】
【０００２】
画像形成装置としては、特許文献１に開示される画像形成装置が公知である。特許文献１の画像形成装置は、２個の支持ローラ間に張架され感光体ドラムの転写領域に近接配置された転写ベルトと、この転写ベルトの裏面側に作用して転写ベルトの裏面を清掃するベルトクリーニングブラシとを備えている。
【特許文献１】特開平１１−３８７７４号公報
【発明の開示】
【発明が解決しようとする課題】
【０００３】
本発明は、構成が簡易な像保持体清掃装置及び画像形成装置を提供することを目的とする。
【課題を解決するための手段】
【０００４】
本発明の請求項１に係る像保持体清掃装置は、循環移動する無端帯状の像保持体と、該像保持体の外周面を清掃する第１清掃部材と、前記像保持体を挟んで前記第１清掃部材に対向して配置され、前記像保持体の内周面を清掃する第２清掃部材と、を備えたことを特徴とする。
【０００５】
本発明の請求項２に係る像保持体清掃装置は、請求項１の構成において、前記第１清掃部材が円筒状に形成された回転ブラシであることを特徴とする。
【０００６】
本発明の請求項３に係る像保持体清掃装置は、請求項１または２の構成において、前記像保持体の内周面に接触する部位が変更できるように構成されてなることを特徴とする。
【０００７】
本発明の請求項４に係る像保持体清掃装置は、請求項１〜３のいずれか１項の構成において、前記第１清掃部材に比べて清掃時の変形量が小さいことを特徴とする。
本発明の請求項５に係る像保持体清掃装置は、前記像保持体の外周面を清掃する第３清掃部材と、前記像保持体を挟んで前記第３清掃部材に対向して配置された円筒状の対向部材とを備え、前記第２清掃部材は、前記対向部材の外周面を清掃することを特徴とする。
【０００８】
本発明の請求項６に係る像保持体清掃装置は、請求項５記載の像保持体清掃装置において、前記第１清掃部材と前記第３清掃部材が前記像保持体に対して一体的に取り外し出来るように構成されてなることを特徴とする。
【０００９】
本発明の請求項７に係る像保持体形成装置は、請求項１〜６のいずれか１項の構成において、前記像保持体が巻き掛けられて回転し、前記像保持体を駆動する駆動部材を備え、前記第２清掃部材は、前記駆動部材の外周面に接触して清掃することを特徴とする。
【００１０】
本発明の請求項８に係る画像形成装置は、前記像保持体を含む像保持体部分と、前記第１清掃部材を含む、前記像保持体部分に対して取り外し可能な清掃部分を有し、前記第２清掃部材は、該清掃部分を取り外した際に前記像保持体部分に残留することを特徴とする。
【００１１】
本発明の請求項９に係る画像形成装置は、前記像保持体に画像を形成する画像形成手段と、前記像保持体上の画像を記録媒体に転写する転写手段と、請求項１乃至８のいずれか１項に記載の像保持体清掃装置と、を有し、前記画像保持体清掃手段は、前記像保持体上で前記転写手段より下流、かつ画像形成手段より上流に配置されたことを特徴とする。
【発明の効果】
【００１２】
本発明の請求項１の構成によれば、第２清掃部材が第１清掃部材に対向する部材を兼ねるので、本発明の構成を有しない場合に比較して、部品点数を減らせ構成が簡易となる。
【００１３】
本発明の請求項２の構成によれば、第１清掃部材の清掃力を安定させることができる。
【００１４】
本発明の請求項３の構成によれば、第２清掃部材の複数の部位で清掃するので、第２清掃部材の汚染に応じて適宜部位を変更することで清掃力が向上する。
【００１５】
本発明の請求項４の構成によれば、本発明の構成を有しない場合に比較して、第１清掃部材の清掃力を安定したものをすることができる。
本発明の請求項５の構成によれば、本発明の構成を有しない場合に比較して、第３清掃部材と像保持体が接触する際の像保持体の損傷を減少させることが出来る。
【００１６】
本発明の請求項６の構成によれば、本発明の構成を有しない場合に比較して、像保持体及び像保持体清掃装置の保守性を向上させることが出来る。
本発明の請求項７の構成によれば、本発明の構成を有しない場合に比較して、駆動部材の表面に付着した異物に起因する像保持体の損傷を減少させることが出来る。
【００１７】
本発明の請求項８の構成によれば、本発明の構成を有しない場合に比較して、保守性の向上した画像形成装置を得ることが出来る。
本発明の請求項9の構成によれば、像保持体の清掃力が向上した画像形成装置を得ることが出来る。
【発明を実施するための最良の形態】
【００１８】
以下に、本発明に係る実施形態の一例を図面に基づき説明する。
【００１９】
（本実施形態に係る画像形成装置の全体構成）
まず、本実施形態に係る画像形成装置の全体構成を説明する。図１には、本実施形態に係る画像形成装置の全体構成が概略図にて示されている。
【００２０】
画像形成装置１０は、像保持体の一例としての無端帯状の中間転写ベルト４６と、中間転写ベルト４６に転写されるトナー像を形成する、本実施例における画像形成手段としてのトナー像形成部１２Ｙ、１２Ｍ、１２Ｃ、１２Ｋ（以下、１２Ｙ〜１２Ｋという）と、トナー像形成部１２Ｙ〜１２Ｋで形成されたトナー像を中間転写ベルト４６へ転写する第１転写部材３０Ｙ、３０Ｍ、３０Ｃ、３０Ｋ（以下、３０Ｙ〜３０Ｋという）と、第１転写部材３０Ｙ〜３０Ｋによって中間転写ベルト４６へ転写されたトナー像を記録媒体Ｋに転写する第２転写部材４８と、中間転写ベルト４６を清掃する像保持体清掃装置５８とを備えている。
【００２１】
トナー像形成部１２Ｙ〜１２Ｋは、それぞれ、イエロー（Ｙ）、マゼンタ（Ｍ）、シアン（Ｃ）及び黒（Ｋ）の４色に対応しており、トナー像形成部１２Ｙ〜１２Ｋには、各色のトナー像を保持する像保持体の一例としての感光体ドラム２２Ｙ、２２Ｍ、２２Ｃ、２２Ｋ（以下、２２Ｙ〜２２Ｋという）がそれぞれ設けられている。
【００２２】
感光体ドラム２２Ｙ〜２２Ｋは、所定方向に回転し、感光体ドラム２２Ｙ〜２２Ｋの周囲には、感光体ドラム２２Ｙ〜２２Ｋの回転方向に沿って、感光体ドラム２２Ｙ〜２２Ｋ上を帯電させる帯電装置２４Ｙ、２４Ｍ、２４Ｃ、２４Ｋ、帯電した感光体ドラム２２Ｙ〜２２Ｋの表面を露光して感光体ドラム２２Ｙ〜２２Ｋの表面に静電潜像を形成する露光装置２６Ｙ、２６Ｍ、２６Ｃ、２６Ｋと、感光体ドラム２２Ｙ〜２２Ｋの表面に形成された静電潜像を現像してトナー像を形成する現像装置２８Ｙ、２８Ｍ、２８Ｃ、２８Ｋと、第１転写部材３０Ｙ〜３０Ｋと、感光体ドラム２２Ｙ〜２２Ｋに残留した残留トナーを除去するトナー除去装置３２Ｙ、３２Ｍ、３２Ｃ、３２Ｋと、感光体ドラム２２Ｙ〜２２Ｋの表面を除電する除電装置３４Ｙ、３４Ｍ、３４Ｃ、３４Ｋがそれぞれ設けられている。
【００２３】
中間転写ベルト４６は、回転駆動する駆動ロール３６、従動ロール３８、第２転写部材４８に対向する対向ロール４０及び中間転写ベルト４６に一定の張力を付与する張力付与ロール４４に巻き掛けられており、駆動ロール３６が回転駆動することにより循環移動する構成となっている。これらは共通の保持部材に保持され、像保持体部分として、本実施例においては画像形成装置本体から一体的に取り外せるように構成されている。
【００２４】
中間転写ベルト４６の内周側には、感光体ドラム２２Ｙ〜２２Ｋに対向して第１転写部材３０Ｙ〜３０Ｋが配置されており、感光体ドラム２２Ｙ〜２２Ｋの表面に形成されたトナー像は、第１転写部材３０Ｙ〜３０Ｋにより中間転写ベルト４６に転写される。
【００２５】
中間転写ベルト４６に転写されたトナー像は、中間転写ベルト４６により第２転写部材４８と対向ロール４０との間へ搬送される。
【００２６】
また、画像形成装置１０は、記録媒体Ｋを収容する記録媒体収容部５０と、記録媒体収容部５０から中間転写ベルト４６と第２転写部材４８と間へ記録媒体Ｋを搬送する搬送部１８と、第２転写部材４８によってトナー像が転写された記録媒体Ｋにそのトナー像を定着させる定着装置２０と、第２転写部材４８によってトナー像が転写された記録媒体Ｋを定着装置２０へ搬送する搬送部１６とを備えている。
【００２７】
搬送部１８は、記録媒体収容部５０から記録媒体Ｋを送り出す送出しロール５２と、送出しロール５２により記録媒体収容部５０から送り出された記録媒体Ｋを中間転写ベルト４６と第２転写部材４８と間へ搬送する複数の搬送ロール５４とを備えている。
【００２８】
搬送ロール５４により中間転写ベルト４６と第２転写部材４８と間へ搬送された記録媒体Ｋは、中間転写ベルト４６で搬送されたトナー像が第２転写部材４８によって転写される。
【００２９】
搬送部１６は、無端状の複数の搬送ベルト５６を備えている。搬送ベルト５６は、複数のロール５６Ａに巻き掛けられ、いずれかのロール５６Ａが回転することにより循環移動する構成となっており、第２転写部材４８によってトナー像が転写された記録媒体Ｋを定着装置２０へ搬送する。定着装置２０へ搬送された記録媒体Ｋは、定着装置２０でトナー像が定着される。
【００３０】
（中間転写ベルト４６を清掃する清掃装置５８の構成）
次に、中間転写ベルト４６を清掃する清掃装置５８の構成について説明する。図２には、本実施形態に係る清掃装置５８の構成が概略図にて示されている。
【００３１】
本実施形態に係る清掃装置５８は、各構成部品を収容する、清掃部材部分としての筐体５９を備えている。この筐体５９内には、中間転写ベルト４６の外周面を清掃する第１清掃部材の一例としての第１清掃ブラシ６０が設けられている。
【００３２】
第１清掃ブラシ６０は、軸部６０Ａの外周にその全周にわたってブラシ６０Ｂが巻き付けられて構成されており、軸部６０Ａが回転可能に支持されている。また、第１清掃ブラシ６０は、中間転写ベルト４６の外周側に配置され、ブラシ６０Ｂの先端部が中間転写ベルト４６の外周面に接触するようになっている。
【００３３】
さらに、第１清掃ブラシ６０は、図示しない駆動部からの駆動力が伝達され、中間転写ベルト４６に沿う方向に回転駆動される。すなわち、中間転写ベルト４６が、図２における反時計方向に循環移動するのに対して、第１清掃ブラシ６０は、中間転写ベルト４６とは反対回りである時計方向に回転する。
【００３４】
第１清掃ブラシ６０の周速度は、中間転写ベルト４６の周速度よりも速く設定されている。この周速度比により、第１清掃ブラシ６０は、中間転写ベルト４６の外周面に付着した紙粉や残留トナー、外添剤等の付着物を掻き取る。
【００３５】
なお、ブラシ６０Ｂは、アクリル、その他の樹脂等からなる繊維で形成されている。ブラシ６０Ｂとしては、中間転写ベルト４６との接触により摩擦帯電させ、摩擦帯電による静電気により紙粉やトナーを電気的に吸着できる材料を選択してもよい。
【００３６】
中間転写ベルト４６の内周側には、中間転写ベルト４６の内周面を清掃する第２清掃部材の一例としての第２清掃ブラシ６２が、第１清掃ブラシ６０に対向して配置されている。
【００３７】
第２清掃ブラシ６２は、ブラシ６２Ｂの先端部が中間転写ベルト４６の内周面に接触している。これにより、第２清掃ブラシ６２及び第１清掃ブラシ６０の間に、中間転写ベルト４６が配置され、第２清掃ブラシ６２及び第１清掃ブラシ６０で、中間転写ベルト４６の外周面及び内周面から中間転写ベルト４６を挟んでいる。
【００３８】
第２清掃ブラシ６２は、軸部６２Ａにブラシ６２Ｂが巻き付けられて構成されている。
【００３９】
第２清掃ブラシ６２は軸方向に移動可能となっており、第２清掃ブラシ６２の軸部６２Ａの軸方向一端部は、図２及び図３に示すように、多角形状に形成されている。筐体５９の側面には、この多角形状にされた端部が差し込まれる差込部が設けられている。なお、図２及び図３に示す例では、軸部６２Ａの端部は、四角形状に形成されており、また、図２及び図３において差込部の図示は省略している。
【００４０】
多角形状の端部が差込部に差し込まれることにより、第２清掃ブラシ６２は、所定の回転位置で固定される。これにより、循環移動する中間転写ベルト４６の内周面と第２清掃ブラシ６２のブラシ部分が擦れて、中間転写ベルト４６の外周面に付着した紙粉や残留トナー、外添剤等の付着物を掻き取る。
【００４１】
また、第２清掃ブラシ６２を軸方向に移動させて、差込部から多角形状の端部を抜いて、所定角度回転させてから、差込部に多角形状の端部に差し込むことにより、第２清掃ブラシ６２は、中間転写ベルト４６の内周面に接触する部位が変更される。
【００４２】
なお、本実施形態では、軸部の端部は、四角形状に形成されているので、９０度ずつ回転させることにより、４箇所の部位を使用することが可能である。図３では、使用させる各部位を二点鎖線で示している。
【００４３】
なお、ブラシ６２Ｂは、アクリル、その他の樹脂等からなる繊維で形成されている。ブラシ６２Ｂとしては、中間転写ベルト４６との接触により摩擦帯電させ、摩擦帯電による静電気により紙粉やトナーを電気的に吸着できる材料を選択してもよい。本実施例では第２清掃部材の一例としてブラシ６２Ｂを例示したが、第２清掃部材は不織布や発泡樹脂などを用いることも出来る。また形状も円筒形である必要はなく、多角形などを適宜適用可能である。
【００４４】
第２清掃ブラシ６２は、第１清掃ブラシ６０に比較して押圧時の変形が小さくなるよう、ブラシの長さや剛性が選択されている。これにより第１清掃部材によるベルト表面の清掃力を安定させるように構成されている。
【００４５】
また、筐体５９内には、中間転写ベルト４６の外周面を清掃する第３清掃部材の一例としての清掃ブレード６４が設けられている。
【００４６】
清掃ブレード６４は、中間転写ベルト４６の外周側であって、第１清掃ブラシ６０よりも中間転写ベルト４６の回転方向の上流側に配置されている。清掃ブレード６４は、その先端部が、中間転写ベルト４６の外周面に接触する位置に支持部６５により支持されている。
【００４７】
これにより、循環移動する中間転写ベルト４６の外周面と清掃ブレード６４の先端部が接触して、中間転写ベルト４６の外周面に付着した紙粉や残留トナー、外添剤等の付着物を掻き取る。なお、清掃ブレード６４は、ゴム、金属等で形成されている。
【００４８】
中間転写ベルト４６の内周側には、清掃ブレード６４に対向して配置された円筒状の対抗部材である対向ロール６６が設けられている。この対向ロール６６は、その外周面が中間転写ベルト４６の内周面に接触している。これにより、対向ロール６６及び清掃ブレード６４の間に、中間転写ベルト４６が配置され、対向ロール６６及び清掃ブレード６４で、中間転写ベルト４６の外周面及び内周面から中間転写ベルト４６を挟んでいる。
【００４９】
また、対向ロール６６には、第２清掃ブラシ６２のブラシ６２Ｂの先端部が接触しており、対向ロール６６は中間転写ベルト４６に従動して回転するようになっている。これにより、対向ロール６６の外周面に付着した紙粉や残留トナー、外添剤等の付着物を掻き取り、清掃される。
【００５０】
また、筐体５９内には、回転する第１清掃ブラシ６０のブラシ６０Ｂに当たってブラシ６０Ｂを弾き、ブラシ６０Ｂに付着した付着物を落下させる落下部６８が設けられている。
【００５１】
第１清掃ブラシ６０の軸方向と交差する方向には、落下部６８により筐体５９内に落下した付着物及び清掃ブレード６４が掻き取って筐体５９内に落下した付着物を、第１清掃ブラシ６０の軸方向と交差する方向に搬送する第１搬送部７０が設けられている。第１搬送部７０は、図２における反時計方向に回転すると共に、付着物を運ぶ羽根７０Ａを備えており、第１搬送部７０が回転することにより付着物が搬送される。
【００５２】
また、第１搬送部７０によって搬送された付着物を第１清掃ブラシ６０の軸方向に沿って搬送する第２搬送部７２が設けられている。第２搬送部７２で搬送された付着物は、図示しない回収部により回収される。
【００５３】
本実施形態の構成によれば、第２転写部材４８によってトナー像が転写された後の中間転写ベルト４６は、清掃装置５８へ循環移動する。中間転写ベルト４６は、清掃装置５８において、第１清掃ブラシ６０と第２清掃ブラシ６２との間及び清掃ブレード６４と対向ロール６６との間を通過する。
【００５４】
第１清掃ブラシ６０と第２清掃ブラシ６２との間を通過する中間転写ベルト４６は、その外周面に付着した紙粉や残留トナー、外添剤等の付着物が、第１清掃ブラシ６０によって、掻き取られて清掃される。また、第２清掃ブラシ６２によって、中間転写ベルト４６の内周面に付着した紙粉や残留トナー、外添剤等の付着物が掻き取られて清掃される。
【００５５】
第２清掃ブラシ６２は、第１清掃ブラシ６０に対向する部材を兼ね、第１清掃ブラシ６０から中間転写ベルト４６の内周側へ付与される圧力に対抗する。また、第１清掃ブラシ６０は、第２清掃ブラシ６２に対向する部材を兼ね、第２清掃ブラシ６２から中間転写ベルト４６の外周側へ付与される圧力に対抗する。
【００５６】
清掃ブレード６４と対向ロール６６との間を通過する中間転写ベルト４６は、その外周面に付着した紙粉や残留トナー、外添剤等の付着物が、清掃ブレード６４によって、掻き取られて清掃される。対向ロール６６は、清掃ブレード６４から中間転写ベルト４６の内周側へ付与される圧力に対抗すると共に、中間転写ベルト４６に従動して回転する。
【００５７】
対向ロール６６が回転することにより、対向ロール６６の外周面に付着した紙粉や残留トナー、外添剤等の付着物が、第２清掃ブラシ６２によって掻き取られて清掃される。
【００５８】
第１清掃ブラシ６０によって掻き取られた付着物は、落下部６８により筐体５９内に落下し、その落下した付着物及び清掃ブレード６４が掻き取って筐体５９内に落下した付着物は、第１搬送部７０から第２搬送部７２を通じて回収部へ運ばれて回収部で回収される。
【００５９】
なお、実施形態に係る清掃装置５８では、第２清掃ブラシ６２が対向ロール６６も清掃する構成であったが、第２清掃ブラシ６２が対向ロール６６に接触せず、対向ロール６６の外周面を清掃しない構成であってもよい。
次に、中間転写ベルト４６を清掃する清掃装置５８の変形例について説明する。なお、上記の実施形態と同様の部分には、同一の符号を付し説明を省略する。図４には、変形例に係る清掃装置７８の構成が概略図にて示されている。
【００６０】
変形例に係る清掃装置７８では、清掃ブレード６４が駆動ロール３６に対向して配置されており、駆動ロール３６が、清掃ブレード６４に対向する対向ロールとして機能するようになっている。
【００６１】
また、第２清掃ブラシ６２は、ブラシ６２Ｂの先端部が、対向ロール６６として機能する駆動ロール３６の外周面に接触しており、駆動ロール３６の外周面に付着した紙粉や残留トナー、外添剤等の付着物を掻き取り、清掃されるようになっている。
【００６２】
また、清掃装置７８は、図５に示すように、第２清掃ブラシ６２を回転させると共に第２清掃ブラシ６２を所定の回転位置で停止させる駆動制御部６３を備えた構成であっても良い。この駆動制御部６３が所定時間で第２清掃ブラシ６２を回転させ、第２清掃ブラシ６２を所定の回転位置で停止させることにより、中間転写ベルト４６の内周面に接触する部位が変更される。
【００６３】
変形例の構成によれば、第２転写部材４８によってトナー像が転写された後の中間転写ベルト４６は、清掃装置７８において、第１清掃ブラシ６０と第２清掃ブラシ６２との間及び清掃ブレード６４と駆動ロール３６との間を通過する。
【００６４】
第１清掃ブラシ６０と第２清掃ブラシ６２との間を通過する中間転写ベルト４６は、その外周面に付着した紙粉や残留トナー、外添剤等の付着物が、第１清掃ブラシ６０によって、掻き取られて清掃される。また、第２清掃ブラシ６２によって、中間転写ベルト４６の内周面に付着した紙粉や残留トナー、外添剤等の付着物が掻き取られて清掃される。
【００６５】
第２清掃ブラシ６２は、第１清掃ブラシ６０に対向する部材を兼ね、第１清掃ブラシ６０から中間転写ベルト４６の内周側へ付与される圧力に対抗する。また、第１清掃ブラシ６０は、第２清掃ブラシ６２に対向する部材を兼ね、第２清掃ブラシ６２から中間転写ベルト４６の外周側へ付与される圧力に対抗する。
【００６６】
清掃ブレード６４と駆動ロール３６との間を通過する中間転写ベルト４６は、その外周面に付着した紙粉や残留トナー、外添剤等の付着物が、清掃ブレード６４によって、掻き取られて清掃される。駆動ロール３６は、清掃ブレード６４から中間転写ベルト４６の内周側へ付与される圧力に対抗する。
【００６７】
駆動ロール３６が回転することにより、駆動ロール３６の外周面に付着した紙粉や残留トナー、外添剤等の付着物が、第２清掃ブラシ６２によって掻き取られて清掃される。
【００６８】
第１清掃ブラシ６０によって掻き取られた付着物は、落下部６８により筐体５９内に落下し、その落下した付着物及び清掃ブレード６４が掻き取って筐体５９内に落下した付着物は、第１搬送部７０から第２搬送部７２を通じて回収部へ運ばれて回収部で回収される。
【００６９】
なお、駆動制御部６３を備える変形例の構成は、図２に示す上記の実施形態に係る清掃装置５８においても適用可能である。
【００７０】
また、変形例に係る清掃装置７８は、第２清掃ブラシ６２が駆動ロール３６も清掃する構成であったが、第２清掃ブラシ６２が駆動ロール３６に接触せず、駆動ロール３６の外周面を清掃しない構成であってもよい。
【００７１】
また、変形例に係る清掃装置７８は、第２清掃ブラシ６２が駆動ロール３６も清掃する構成であったが、この駆動ロール３６は、中間転写ベルト４６に従動して回転する従動ロールであってもよい。
【００７２】
また、実施形態に係る清掃装置５８及び変形例に係る清掃装置７８では、清掃ブレード６４を設けた構成であったが、清掃ブレード６４がない構成であっても良い。
【００７３】
また、実施形態に係る清掃装置５８及び変形例に係る清掃装置７８では、第１清掃部材及び第２清掃部材の一例として清掃ブラシを用いたが、例えば、清掃ブレード等であっても良く、ベルトを清掃する部材であれば良い。
【００７４】
また、実施形態に係る清掃装置５８及び変形例に係る清掃装置７８では、第３清掃部材一例として清掃ブレードを用いたが、例えば、清掃ブラシ等であっても良く、ベルトを清掃する部材であれば良い。
【００７５】
本発明は、上記の実施形態に限るものではなく、種々の変形、変更、改良が可能である。
【００７６】
実施形態に係る清掃装置５８及び変形例に係る清掃装置７８では、ベルトの一例として中間転写ベルトを清掃する清掃装置について説明したが、例えば、記録媒体Ｋ等を搬送する搬送ベルトを清掃する清掃装置においても、上記の構成は適用可能である。また、ベルト状の感光体を用いた画像形成装置においては、画像形成手段としての現像器と、像保持体としての感光体と、感光体上の転写残留トナーを清掃する清掃手段に対して本発明を適用できる。
【図面の簡単な説明】
【００７７】
【図１】図１は、本発明の実施形態に係る画像形成装置の全体構成を示す概略図である。
【図２】図２は、本実施形態に係る清掃装置を示す概略図である。
【図３】図３は、本実施形態に係る第２清掃ブラシの構成を示す図である。
【図４】図４は、本実施形態に係る変形例に係る清掃装置の構成を示す概略図である。
【図５】図５は、本実施形態に係る変形例に係る清掃装置の構成において、第２清掃ブラシを回転させる駆動部を設けた構成を示す図である。
【符号の説明】
【００７８】
１０   画像形成装置
３６   駆動ロール
４６   中間転写ベルト（ベルト）
５８   清掃装置
６０   第１清掃ブラシ（第１清掃部材）
６２   第２清掃ブラシ（第２清掃部材）
６４   清掃ブレード（第３清掃部材）
６６   対向ロール
７８   清掃装置
【図１】
2008139419.tif 000003
【図２】
2008139419.tif 000004
【図３】
2008139419.tif 000005
【図４】
2008139419.tif 000006
【図５】
2008139419.tif 000007